(57)【特許請求の範囲】
【請求項１】
加入者回線に接続される加入者網終端装置の設定を遠隔で行い、加入者回線移動前の加入者網終端装置の設定を加入者回線移動後の加入者網終端装置に引き継がせる遠隔設定システムであって、
加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、
回線固有情報と、加入者網終端装置の設定情報を保持するサブシステムを特定するサブシステム位置情報との対応を示す対応テーブルとを記憶するセンタシステム記憶手段を備えるセンタシステムと、
回線識別子、回線固有情報、及び、加入者網終端装置の設定情報が含まれる設定情報レコードからなる設定情報テーブルを記憶するサブシステム記憶手段と、
加入者網終端装置から受信した回線固有情報に対応する設定情報を、自身の備えるサブシステム記憶手段内の設定情報テーブルから読み出して返送する設定情報通知手段とを備える複数のサブシステムとからなり、
前記センタシステムは、
移動先加入者回線の回線識別子、及び、移動先加入者回線の回線固有情報と、回線変更要求との入力を受け、入力された回線識別子に対応した前記回線状態テーブル内の回線状態レコードを特定し、特定された回線状態レコード内の変更固有情報に、入力された回線固有情報を格納するとともに、特定された回線状態レコードの回線変更中フラグに、回線変更中を示す値を格納するオーダ入力手段と、
移動先の加入者回線に加入者網終端装置が接続された旨の通知と、当該加入者網終端装置の回線固有情報を受信し、受信した回線固有情報に対応するサブシステム位置情報を前記対応テーブルから読み出して返送するとともに、
受信した回線固有情報が変更固有情報に格納された前記回線状態テーブル内の回線状態レコードを特定し、特定された回線状態レコードの回線変更中フラグに回線変更中を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の回線識別子及び設定情報と、受信した回線固有情報とを格納した設定情報レコードを追加するレコード移動手段とを備える、
ことを特徴とする遠隔設定システム。
【請求項２】
加入者回線に接続される加入者網終端装置の設定を遠隔で行い、加入者回線移動前の加入者網終端装置の設定を加入者回線移動後の加入者網終端装置に引き継がせる遠隔設定システムであって、
加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、
回線固有情報と、加入者網終端装置の設定情報を保持するサブシステムを特定するサブシステム位置情報との対応を示す対応テーブルとを記憶するセンタシステム記憶手段を備えるセンタシステムと、
加入者識別子、回線識別子、回線固有情報、及び、加入者網終端装置の設定情報が含まれる設定情報レコードからなる設定情報テーブルを記憶するサブシステム記憶手段と、
加入者網終端装置から受信した回線固有情報に対応する設定情報を、自身の備えるサブシステム記憶手段内の設定情報テーブルから読み出して返送する設定情報通知手段とを備える複数のサブシステムとからなり、
前記センタシステムは、
加入者回線の移動を行う加入者の加入者識別子、移動先加入者回線の回線識別子、及び、移動先加入者回線の回線固有情報と、回線変更要求との入力を受ける回線変更要求入力手段と、
前記回線変更要求入力手段が入力を受けた加入者識別子及び回線識別子により前記回線状態テーブルを検索し、特定された回線状態レコードの変更固有情報に、前記回線変更要求入力手段が入力を受けた回線固有情報を格納する変更固有情報更新手段と、
前記変更固有情報更新手段により特定された回線状態レコード内の回線固有情報に対応したサブシステム位置情報と、前記回線変更要求入力手段が入力を受けた回線固有情報に対応したサブシステム位置情報とを前記対応テーブルから読み出して比較し、同一であるか否かを判断する比較手段と、
前記比較手段が異なると判断した場合に、前記変更固有情報更新手段により特定された回線状態レコード内の回線変更中フラグに、サブシステム間の回線変更かつ旧回線有効を示す値を格納する回線変更中フラグ更新手段と、
移動先の加入者回線に加入者網終端装置が接続された旨の通知と、当該加入者網終端装置の回線固有情報を受信する接続通知受信手段と、
前記接続通知受信手段により受信した回線固有情報に対応するサブシステム位置情報を前記対応テーブルから読み出して返送するサブシステム位置通知手段と、
前記回線状態テーブルを検索して、前記接続通知受信手段により受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信手段により受信した回線固有情報とを格納した設定情報レコードを追加し、前記移動前の設定情報レコードを削除するレコード移動手段と、
前記レコード移動手段により特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継手段とを備える、
ことを特徴とする遠隔設定システム。
【請求項３】
前記センタシステムは、
移動前の加入者回線の加入者識別子及び回線識別子と、回線廃止要求との入力を受ける回線廃止要求入力手段と、
前記回線廃止要求入力手段が入力を受けた加入者識別子及び回線識別情報により前記回線状態テーブルを検索して特定された回線状態レコードの回線変更中フラグに回線変更中ではないことを示す値以外が設定されている場合、当該回線変更中フラグに回線変更中ではないことを示す値を格納する回線廃止設定手段とをさらに備える、
ことを特徴とする請求項２に記載の遠隔設定システム。
【請求項４】
前記変更固有情報更新手段は、前記回線変更要求入力手段が入力を受けた加入者識別子と、加入者回線が有効であることを示す値の状態フラグとにより前記回線状態テーブルを検索し、特定された回線状態レコードの変更固有情報に、前記回線変更要求入力手段が入力を受けた回線固有情報を格納することを特徴とする請求項２または請求項３に記載の遠隔設定システム。
【請求項５】
加入者回線に接続される加入者網終端装置の設定を遠隔で行い、加入者回線移動前の加入者網終端装置の設定を加入者回線移動後の加入者網終端装置に引き継がせる遠隔設定システムに用いられる回線管理方法であって、
前記遠隔設定システムは、
加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、
回線固有情報と、加入者網終端装置の設定情報を保持するサブシステムを特定するサブシステム位置情報との対応を示す対応テーブルとを記憶するセンタシステム記憶手段を備えるセンタシステムと、
加入者識別子、回線識別子、回線固有情報、及び、加入者網終端装置の設定情報が含まれる設定情報レコードからなる設定情報テーブルを記憶するサブシステム記憶手段を備える複数のサブシステムとからなり、
前記センタシステムが、
加入者回線の移動を行う加入者の加入者識別子、移動先加入者回線の回線識別子、及び、移動先加入者回線の回線固有情報と、回線変更要求との入力を受ける回線変更要求入力過程と、
前記回線変更要求入力過程において入力を受けた加入者識別子及び回線識別子により前記回線状態テーブルを検索し、特定された回線状態レコードの変更固有情報に、前記回線変更要求入力過程において入力を受けた回線固有情報を格納する変更固有情報更新過程と、
前記変更固有情報更新過程において特定された回線状態レコード内の回線固有情報に対応したサブシステム位置情報と、前記回線変更要求入力過程において入力を受けた回線固有情報に対応したサブシステム位置情報とを前記対応テーブルから読み出して比較し、同一であるか否かを判断する比較過程と、
前記比較過程において異なると判断された場合に、前記変更固有情報更新過程において特定された回線状態レコード内の回線変更中フラグに、サブシステム間の回線変更かつ旧回線有効を示す値を格納する回線変更中フラグ更新過程と、
移動先の加入者回線に加入者網終端装置が接続された旨の通知と、当該加入者網終端装置の回線固有情報を受信する接続通知受信過程と、
前記接続通知受信過程において受信した回線固有情報に対応するサブシステム位置情報を前記対応テーブルから読み出して返送するサブシステム位置通知過程と、
前記回線状態テーブルを検索して、前記接続通知受信過程において受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信過程により受信した回線固有情報とを格納した設定情報レコードを追加し、前記移動前の設定情報レコードを削除するレコード移動過程と、
前記レコード移動過程において特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継過程とを有し、
前記サブシステムが、
加入者網終端装置から回線固有情報と、設定情報要求とを受信し、受信した回線固有情報に対応した設定情報を当該サブシステムの備えるサブシステム記憶手段の記憶する設定情報テーブルから読み出して返送する設定情報通知過程を有する、
ことを特徴とする回線管理方法。
【請求項６】
加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、
回線固有情報と、加入者網終端装置の設定情報を保持するサブシステムを特定するサブシステム位置情報との対応を示す対応テーブルとを記憶するセンタシステム記憶手段とを備えるセンタシステムと、
加入者識別子、回線識別子、回線固有情報、及び、加入者網終端装置の設定情報が含まれる設定情報レコードからなる設定情報テーブルを記憶するサブシステム記憶手段を備える複数のサブシステムと
からなる遠隔設定システムの前記センタシステムとして用いられるコンピュータに、
加入者回線の移動を行う加入者の加入者識別子、移動先加入者回線の回線識別子、及び、移動先加入者回線の回線固有情報と、回線変更要求との入力を受ける回線変更要求入力ステップと、
前記回線変更要求入力ステップにおいて入力を受けた加入者識別子及び回線識別子により前記回線状態テーブルを検索し、特定された回線状態レコードの変更固有情報に、前記回線変更要求入力ステップにおいて入力を受けた回線固有情報を格納する変更固有情報更新ステップと、
前記変更固有情報更新ステップにおいて特定された回線状態レコード内の回線固有情報に対応したサブシステム位置情報と、前記回線変更要求入力ステップにおいて入力を受けた回線固有情報に対応したサブシステム位置情報とを前記対応テーブルから読み出して比較し、同一であるか否かを判断する比較ステップと、
前記比較ステップにおいて異なると判断された場合に、前記変更固有情報更新ステップにおいて特定された回線状態レコード内の回線変更中フラグに、サブシステム間の回線変更かつ旧回線有効を示す値を格納する回線変更中フラグ更新ステップと、
移動先の加入者回線に加入者網終端装置が接続された旨の通知と、当該加入者網終端装置の回線固有情報を受信する接続通知受信ステップと、
前記接続通知受信ステップにおいて受信した回線固有情報に対応するサブシステム位置情報を前記対応テーブルから読み出して返送するサブシステム位置通知ステップと、
前記回線状態テーブルを検索して、前記接続通知受信ステップにおいて受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信ステップにより受信した回線固有情報とを格納した設定情報レコードを追加し、前記移動前の設定情報レコードを削除するレコード移動ステップと、
前記レコード移動ステップにおいて特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継ステップと、
を実行させることを特徴とするコンピュータプログラム。
【発明の詳細な説明】
【技術分野】
【０００１】
本発明は、電気通信回線設備である加入者網終端装置に対して遠隔地から設定を行う遠隔設定システムにおいて、加入者回線毎に回線固有情報および加入者網終端装置の設定情報を管理するための遠隔設定システム、回線管理方法、及び、コンピュータプログラムに関する。
【背景技術】
【０００２】
近年、オフィスビルやマンション、一般家庭などにおいても、ブロードバンド回線によるインターネットアクセスが普及している。このブロードバンド回線によるインターネットアクセスのために、電気通信事業者から電気通信役務を提供される加入者の宅内に、加入者網終端装置が設置される。加入者網終端装置は、電気通信事業者の施設と加入者宅を結ぶ回線である加入者回線ごとに１つ、加入者宅に設置され、加入者が管理する網を終端して電気通信事業者の網と相互接続する電気通信回線設備である。加入者網終端装置は、電気通信事業者が電気通信役務を提供するために敷設する電気通信回線設備であり、加入者宅内に設置されるものの、加入者は自身で直接加入者網終端装置の設定を行うことはできないため、電気通信事業者に遠隔設定を依頼する。
【０００３】
この加入者網終端装置の遠隔設定は、加入者網終端装置からアクセス可能なネットワーク上の遠隔設定システムからの、加入者網終端装置の送信する設定情報要求に対する応答として行われる。この遠隔設定システムが保持するデータベースには、加入者回線の情報が登録されており、この加入者回線の情報と対応させて、当該加入者回線に接続されている加入者網終端装置の設定情報も登録されている。加入者回線の情報の操作は、サービスオーダによって行われる。例えば、加入者が電気通信役務の提供を受けるために電気通信事業者と契約すると、データベースサーバには、「回線新設」のサービスオーダが入力されることにより、データベース内に新しい加入者回線のレコードが生成され、加入者と電気通信事業者との間の契約が解消された場合、「回線廃止」のサービスオーダが入力され、廃止対象の加入者回線のレコードが削除されるか、あるいは、「無効」の状態を示す値が格納されて回線が論理削除される。
【０００４】
一方、元の加入者データを新加入者データとして引き継ぐ技術がある（例えば特許文献１参照）。この技術は、電子交換機において、システムプログラムの変更時に、オンライン、リアルタイムで電子交換機が保持する加入者データを引き継いでいる。
【特許文献１】特願平０６−２９６０３２号公報
【発明の開示】
【発明が解決しようとする課題】
【０００５】
前述した、従来のサービスオーダによる回線管理方法では、加入者の引越しなど何らかの理由で現在利用中の加入者回線を別回線に変更する場合に、変更前の回線で用いられていた加入者網終端装置の設定情報が、変更後の回線に接続される加入者網終端装置に引き継がれないという問題があった。しかし、特許文献１の技術は、プログラムの更新時に加入者データを引き継ぐものであり、加入者網終端装置の保持する設定情報に応用したとしても、前述の問題を解決することはできない。
【０００６】
本発明は、このような事情を考慮してなされたもので、その発明の目的は、任意の加入者が加入者回線の変更を行った後も、新回線に接続される加入者宅内の加入者網終端装置に、変更前回線の加入者網終端装置に用いられていた設定情報を引き継ぐことを可能とする遠隔設定システム、回線管理方法、及び、コンピュータプログラムを提供することにある。
【課題を解決するための手段】
【０００７】
前記課題を解決するために、本発明は、加入者回線に接続される加入者網終端装置の設定を遠隔で行い、加入者回線移動前の加入者網終端装置の設定を加入者回線移動後の加入者網終端装置に引き継がせる遠隔設定システムであって、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、回線固有情報と、加入者網終端装置の設定情報を保持するサブシステムを特定するサブシステム位置情報との対応を示す対応テーブルとを記憶するセンタシステム記憶手段を備えるセンタシステムと、回線識別子、回線固有情報、及び、加入者網終端装置の設定情報が含まれる設定情報レコードからなる設定情報テーブルを記憶するサブシステム記憶手段と、加入者網終端装置から受信した回線固有情報に対応する設定情報を、自身の備えるサブシステム記憶手段内の設定情報テーブルから読み出して返送する設定情報通知手段とを備える複数のサブシステムとからなり、前記センタシステムは、移動先加入者回線の回線識別子、及び、移動先加入者回線の回線固有情報と、回線変更要求との入力を受け、入力された回線識別子に対応した前記回線状態テーブル内の回線状態レコードを特定し、特定された回線状態レコード内の変更固有情報に、入力された回線固有情報を格納するとともに、特定された回線状態レコードの回線変更中フラグに、回線変更中を示す値を格納するオーダ入力手段と、移動先の加入者回線に加入者網終端装置が接続された旨の通知と、当該加入者網終端装置の回線固有情報を受信し、受信した回線固有情報に対応するサブシステム位置情報を前記対応テーブルから読み出して返送するとともに、受信した回線固有情報が変更固有情報に格納された前記回線状態テーブル内の回線状態レコードを特定し、特定された回線状態レコードの回線変更中フラグに回線変更中を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の回線識別子及び設定情報と、受信した回線固有情報とを格納した設定情報レコードを追加するレコード移動手段とを備える、ことを特徴とする遠隔設定システムである。
【０００８】
また、本発明は、加入者回線に接続される加入者網終端装置の設定を遠隔で行い、加入者回線移動前の加入者網終端装置の設定を加入者回線移動後の加入者網終端装置に引き継がせる遠隔設定システムであって、加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、回線固有情報と、加入者網終端装置の設定情報を保持するサブシステムを特定するサブシステム位置情報との対応を示す対応テーブルとを記憶するセンタシステム記憶手段を備えるセンタシステムと、加入者識別子、回線識別子、回線固有情報、及び、加入者網終端装置の設定情報が含まれる設定情報レコードからなる設定情報テーブルを記憶するサブシステム記憶手段と、加入者網終端装置から受信した回線固有情報に対応する設定情報を、自身の備えるサブシステム記憶手段内の設定情報テーブルから読み出して返送する設定情報通知手段とを備える複数のサブシステムとからなり、前記センタシステムは、加入者回線の移動を行う加入者の加入者識別子、移動先加入者回線の回線識別子、及び、移動先加入者回線の回線固有情報と、回線変更要求との入力を受ける回線変更要求入力手段と、前記回線変更要求入力手段が入力を受けた加入者識別子及び回線識別子により前記回線状態テーブルを検索し、特定された回線状態レコードの変更固有情報に、前記回線変更要求入力手段が入力を受けた回線固有情報を格納する変更固有情報更新手段と、前記変更固有情報更新手段により特定された回線状態レコード内の回線固有情報に対応したサブシステム位置情報と、前記回線変更要求入力手段が入力を受けた回線固有情報に対応したサブシステム位置情報とを前記対応テーブルから読み出して比較し、同一であるか否かを判断する比較手段と、前記比較手段が異なると判断した場合に、前記変更固有情報更新手段により特定された回線状態レコード内の回線変更中フラグに、サブシステム間の回線変更かつ旧回線有効を示す値を格納する回線変更中フラグ更新手段と、移動先の加入者回線に加入者網終端装置が接続された旨の通知と、当該加入者網終端装置の回線固有情報を受信する接続通知受信手段と、前記接続通知受信手段により受信した回線固有情報に対応するサブシステム位置情報を前記対応テーブルから読み出して返送するサブシステム位置通知手段と、前記回線状態テーブルを検索して、前記接続通知受信手段により受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信手段により受信した回線固有情報とを格納した設定情報レコードを追加し、前記移動前の設定情報レコードを削除するレコード移動手段と、前記レコード移動手段により特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継手段とを備える、ことを特徴とする遠隔設定システムである。
【０００９】
また、本発明は、上述する遠隔設定システムであって、前記センタシステムは、移動前の加入者回線の加入者識別子及び回線識別子と、回線廃止要求との入力を受ける回線廃止要求入力手段と、前記回線廃止要求入力手段が入力を受けた加入者識別子及び回線識別情報により前記回線状態テーブルを検索して特定された回線状態レコードの回線変更中フラグに回線変更中ではないことを示す値以外が設定されている場合、当該回線変更中フラグに回線変更中ではないことを示す値を格納する回線廃止設定手段とをさらに備える、ことを特徴とする。
【００１０】
また、本発明は、上述する遠隔設定システムであって、前記変更固有情報更新手段は、前記回線変更要求入力手段が入力を受けた加入者識別子と、加入者回線が有効であることを示す値の状態フラグとにより前記回線状態テーブルを検索し、特定された回線状態レコードの変更固有情報に、前記回線変更要求入力手段が入力を受けた回線固有情報を格納することを特徴とする。
【００１１】
また、本発明は、上述する遠隔設定システムであって、加入者回線に接続される加入者網終端装置の設定を遠隔で行い、加入者回線移動前の加入者網終端装置の設定を加入者回線移動後の加入者網終端装置に引き継がせる遠隔設定システムに用いられる回線管理方法であって、前記遠隔設定システムは、加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、回線固有情報と、加入者網終端装置の設定情報を保持するサブシステムを特定するサブシステム位置情報との対応を示す対応テーブルとを記憶するセンタシステム記憶手段を備えるセンタシステムと、加入者識別子、回線識別子、回線固有情報、及び、加入者網終端装置の設定情報が含まれる設定情報レコードからなる設定情報テーブルを記憶するサブシステム記憶手段を備える複数のサブシステムとからなり、前記センタシステムが、加入者回線の移動を行う加入者の加入者識別子、移動先加入者回線の回線識別子、及び、移動先加入者回線の回線固有情報と、回線変更要求との入力を受ける回線変更要求入力過程と、前記回線変更要求入力過程において入力を受けた加入者識別子及び回線識別子により前記回線状態テーブルを検索し、特定された回線状態レコードの変更固有情報に、前記回線変更要求入力過程において入力を受けた回線固有情報を格納する変更固有情報更新過程と、前記変更固有情報更新過程において特定された回線状態レコード内の回線固有情報に対応したサブシステム位置情報と、前記回線変更要求入力過程において入力を受けた回線固有情報に対応したサブシステム位置情報とを前記対応テーブルから読み出して比較し、同一であるか否かを判断する比較過程と、前記比較過程において異なると判断された場合に、前記変更固有情報更新過程において特定された回線状態レコード内の回線変更中フラグに、サブシステム間の回線変更かつ旧回線有効を示す値を格納する回線変更中フラグ更新過程と、移動先の加入者回線に加入者網終端装置が接続された旨の通知と、当該加入者網終端装置の回線固有情報を受信する接続通知受信過程と、前記接続通知受信過程において受信した回線固有情報に対応するサブシステム位置情報を前記対応テーブルから読み出して返送するサブシステム位置通知過程と、前記回線状態テーブルを検索して、前記接続通知受信過程において受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信過程により受信した回線固有情報とを格納した設定情報レコードを追加し、前記移動前の設定情報レコードを削除するレコード移動過程と、前記レコード移動過程において特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継過程とを有し、前記サブシステムが、加入者網終端装置から回線固有情報と、設定情報要求とを受信し、受信した回線固有情報に対応した設定情報を当該サブシステムの備えるサブシステム記憶手段の記憶する設定情報テーブルから読み出して返送する設定情報通知過程を有する、ことを特徴とする回線管理方法である。
【００１２】
また、本発明は、加入者を一意に識別する加入者識別子、加入者回線を一意に識別する回線識別子、回線識別子が変わらない回線変更中であるかを示す回線変更中フラグ、加入者回線に一意であり、加入者回線に固有の情報を示す回線固有情報、及び、移動後の加入者回線に設定されるべき回線固有情報を示す変更固有情報が含まれる回線状態レコードからなる回線状態テーブルと、回線固有情報と、加入者網終端装置の設定情報を保持するサブシステムを特定するサブシステム位置情報との対応を示す対応テーブルとを記憶するセンタシステム記憶手段とを備えるセンタシステムと、加入者識別子、回線識別子、回線固有情報、及び、加入者網終端装置の設定情報が含まれる設定情報レコードからなる設定情報テーブルを記憶するサブシステム記憶手段を備える複数のサブシステムとからなる遠隔設定システムの前記センタシステムとして用いられるコンピュータに、加入者回線の移動を行う加入者の加入者識別子、移動先加入者回線の回線識別子、及び、移動先加入者回線の回線固有情報と、回線変更要求との入力を受ける回線変更要求入力ステップと、前記回線変更要求入力ステップにおいて入力を受けた加入者識別子及び回線識別子により前記回線状態テーブルを検索し、特定された回線状態レコードの変更固有情報に、前記回線変更要求入力ステップにおいて入力を受けた回線固有情報を格納する変更固有情報更新ステップと、前記変更固有情報更新ステップにおいて特定された回線状態レコード内の回線固有情報に対応したサブシステム位置情報と、前記回線変更要求入力ステップにおいて入力を受けた回線固有情報に対応したサブシステム位置情報とを前記対応テーブルから読み出して比較し、同一であるか否かを判断する比較ステップと、前記比較ステップにおいて異なると判断された場合に、前記変更固有情報更新ステップにおいて特定された回線状態レコード内の回線変更中フラグに、サブシステム間の回線変更かつ旧回線有効を示す値を格納する回線変更中フラグ更新ステップと、移動先の加入者回線に加入者網終端装置が接続された旨の通知と、当該加入者網終端装置の回線固有情報を受信する接続通知受信ステップと、前記接続通知受信ステップにおいて受信した回線固有情報に対応するサブシステム位置情報を前記対応テーブルから読み出して返送するサブシステム位置通知ステップと、前記回線状態テーブルを検索して、前記接続通知受信ステップにおいて受信した回線固有情報が変更固有情報に格納された回線状態レコードを特定し、特定された回線状態レコードの回線変更中フラグに、サブシステム間の回線変更かつ旧回線有効を示す値が格納されている場合、特定された回線状態レコードから取得した移動前の回線固有情報及び変更固有情報それぞれに対応して移動前及び移動先のサブシステム位置情報を前記対応テーブルから読み出し、移動前のサブシステム位置情報により特定されるサブシステムのサブシステム記憶手段が記憶する設定情報テーブルを、特定された回線状態レコードから取得した加入者識別子及び回線識別子または当該移動前の回線固有情報により検索して移動前の設定情報レコードを特定し、移動先のサブシステム位置情報により特定されるサブシステムのサブシステム記憶手段が記憶する設定情報テーブルに、前記移動前の設定情報レコード内の加入者識別子、回線識別子及び設定情報と、前記接続通知受信ステップにより受信した回線固有情報とを格納した設定情報レコードを追加し、前記移動前の設定情報レコードを削除するレコード移動ステップと、前記レコード移動ステップにおいて特定された回線状態レコード内の変更固有情報を、当該回線状態レコード内の回線固有情報に格納して当該回線状態レコード内の変更固有情報の値を削除し、さらに、当該回線状態レコード内の回線変更中フラグにサブシステム間変更かつ新回線有効を示す値を格納する引継ステップと、を実行させることを特徴とするコンピュータプログラムである。
【発明の効果】
【００１３】
本発明によれば、加入者回線の変更が行われた場合に、変更前回線の加入者網終端装置に用いられていた設定情報を、変更後回線の加入者網終端装置に複製することができるため、加入者は回線変更後も回線変更前と同じネットワーク環境で加入者回線を利用することが可能となるという効果を得ることができる。また、使用していない回線のレコードがサブシステムの設定情報テーブルに保持されることがないため、この設定情報テーブル内の情報に基づく課金等の処理が二重におこなわれるおそれがなく、正しい課金が可能となる。また、回線変更サービスオーダ受信後に、旧回線の設定情報に変更があったとしても、新回線に加入者網終端装置が接続された場合に、設定を引き継ぐことが可能となる。
【発明を実施するための最良の形態】
【００１４】
以下、図面を用いて本発明の実施形態について詳細に説明する。
図１は、本発明の一実施の形態による遠隔設定システム１と周辺装置との接続構成を示す図である。
同図において、インターネットなどのネットワークであるネットワークＮに、遠隔設定システム１、サービスオーダ生成システム５が接続されている。また、加入者網終端装置６は、加入者回線により、エッジルータ７を介してネットワークＮに接続されている。遠隔設定システム１は、センタシステム２と、複数のサブシステム３と、サービスオーダ入力インタフェースサーバ４とを備える。本実施の形態においては、遠隔設定システム１が、サブシステム３ａとサブシステム３ｂの２台のサブシステム３を備えるものとして説明するが、サブシステム３は３台以上であってもよい。なお、以下では「加入者回線」を単に「回線」とも記載する。
【００１５】
遠隔設定システム１では、１つの加入者回線に対して１つ接続される加入者網終端装置６の設定情報等を管理している。遠隔設定は、加入者網終端装置６が送信する設定情報要求に対する応答として行われ、加入者網終端装置６は定期的に遠隔設定システム１に対して設定情報要求を送信し、当該設定情報要求を受信した遠隔設定システム１は、送信すべき設定情報を検索して、加入者網終端装置６に返送する。そのため、加入者網終端装置６の数が増加するにつれ遠隔設定の要求も増加する。そこで、高負荷による応答時間の遅延などが発生しないように、遠隔設定システム１は、全加入者回線の状態（有効、無効、移転中など）を集中管理するセンタシステム２と、自身に割り当てられた加入者回線に接続される加入者網終端装置６の設定情報のみを管理する複数のサブシステム３とを備える構成にして負荷を分散している。
【００１６】
サービスオーダ入力インタフェースサーバ４は、ＦＴＰ（File Transfer Protocol）サーバ機能を備えており、バッチ処理を定期的に行うことにより、サービスオーダ生成システム５からＦＴＰによりアップロードされたサービスオーダファイルを読み込んで処理を行い、センタシステムデータベースサーバ２１や、サブシステムデータベースサーバ３１が記憶している各テーブルに対して、追加、登録、削除等のデータ操作を行う。
【００１７】
サービスオーダ生成システム５は、投入された申込内容からサービスオーダを生成し、生成したサービスオーダのファイルをＦＴＰによりサービスオーダ入力インタフェースサーバ４へアップロードする。
加入者網終端装置６は、光ファイバー加入者通信網において、加入者宅内の端末機器をネットワーク（例えば、ＩＰｖ６網）に接続するための装置であり、ＨＴＴＰクライアント機能、及び、ＨＴＴＰサーバ機能を備える。加入者網終端装置６は、自身の設定情報を保持するサブシステム３へ設定情報要求を送信し、当該要求に対応して受信した設定情報を、自身の保持する不揮発メモリに格納して、当該設定情報に応じた動作を実行する。
【００１８】
図２は、本実施の形態によるセンタシステム２及びサブシステム３の機能ブロック図である。
センタシステム２は、センタシステムデータベースサーバ２１と、加入者網終端装置インタフェースサーバ２２を備える。センタシステムデータベースサーバ２１は、各加入者回線の状態を示す回線状態テーブルＴ１と、加入者網終端装置６の設定情報がどのサブシステムに登録されているかの情報を示す対応テーブルＴ２とを記憶する。加入者網終端装置インタフェースサーバ２２は、ＨＴＴＰ（Hypertext Transfer Protocol）サーバ機能を実現するＨＴＴＰサーバ機能部２３と、ＨＴＴＰクライアント機能を実現するＨＴＴＰクライアント機能部２４を備える。加入者網終端装置インタフェースサーバ２２と加入者網終端装置６の両者は、エッジルータ７（図示略）を介して加入者回線によって接続され、ＴＣＰ（Transmission Control Protocol）／ＩＰｖ６／ＨＴＴＰのプロトコルスタックを用いたインタフェースにより通信する。
【００１９】
サブシステム３は、サブシステムデータベースサーバ３１と、加入者網終端装置インタフェースサーバ３２を備える。サブシステムデータベースサーバ３１は、各加入者回線に接続される加入者網終端装置６の設定情報を保持する設定情報テーブルＴ３を備える。加入者網終端装置インタフェースサーバ３２は、加入者網終端装置インタフェースサーバ２２と同様の機能を備え、ＨＴＴＰサーバ機能を実現するＨＴＴＰサーバ機能部３３と、ＨＴＴＰクライアント機能を実現するＨＴＴＰクライアント機能部３４を備える。
なお、サブシステム３がサブシステム３ａである場合、サブシステムデータベースサーバ３１、加入者網終端装置インタフェースサーバ３２、ＨＴＴＰサーバ機能部３３、ＨＴＴＰクライアント機能部３４、設定情報テーブルＴ３の符号の後ろにａを付加して、サブシステム３ｂの場合は符号ｂを付加して記載する。例えば、サブシステム３ａは、サブシステムデータベースサーバ３１ａ、加入者網終端装置インタフェースサーバ３２ａ、ＨＴＴＰサーバ機能部３３ａ、ＨＴＴＰクライアント機能部３４ａを備え、サブシステムデータベースサーバ３１ａは設定情報テーブルＴ３ａを記憶する。サブシステム３ｂも同様である。
【００２０】
次に、図３〜図７を用いて、本実施の形態の遠隔設定システム１の動作について説明する。
図３は、加入者網終端装置６が移転する前の遠隔設定システム１の初期状態を示す図である。
センタシステム２のセンタシステムデータベースサーバ２１が保持する回線状態テーブルＴ１は、加入者ＩＤ、回線ＩＤ、回線状態、回線変更中フラグ、回線固有情報、変更固有情報のカラムから構成される回線状態レコードからなり、加入者ＩＤ、回線ＩＤを主キーとする。加入者ＩＤは、加入者を一意に識別する識別子であり、回線ＩＤは、加入者回線を一意に識別する識別子である。
状態フラグは、加入者ＩＤと回線ＩＤとで特定される加入者回線の状態を示す。状態フラグは、「無効」、「有効」の値をとり、回線状態レコードが「無効」の状態フラグを持つときは当該回線状態レコードの回線ＩＤを持つ回線は無効状態であり、設定値の入力や、遠隔設定を行うことができない。回線変更中フラグは、加入者ＩＤと回線ＩＤとで特定される加入者回線に、回線ＩＤの変更を伴わない回線変更が行われているかの状態を示す。
回線固有情報は、加入者回線に固有の情報を示し、１項目以上設定されうる。回線変更中フラグは、「サブシステム間変更（旧回線有効）」、「サブシステム間変更（新回線有効）」の値をとり、ｎｕｌｌの場合は回線変更を行っていない状態である。なお、回線固有情報は簡単のため１項目のみを扱うものとし、ここでは、加入者回線に一意的に割り当てられるＩＰｖ６プレフィックスを格納することとする。
変更固有情報は、回線変更後に有効となる加入者回線の回線固有情報であり、ここでは、回線変更後に適用されるＩＰｖ６プレフィックスが格納される。
【００２１】
センタシステムデータベースサーバ２１の保持する対応テーブルＴ２は、回線固有情報と、サブシステム位置情報とが対応付けて登録されている。このサブシステムの位置情報は、対応する回線固有情報が用いられる加入者回線に接続される加入者網終端装置６についての設定情報が登録さているサブシステム３の位置を示している。なお、位置情報がサブシステム３のＵＲＩ（Universal Resource Identifier）等のアドレスを示していることでもよく、加入者網終端装置６が、外部装置あるいは内部の記憶手段に記憶されているサブシステム３のアドレスを読み出すための検索キーとなる情報であってもよい。
【００２２】
サブシステム３のサブシステムデータベースサーバ３１が保持する設定情報テーブルＴ３は、加入者ＩＤ、回線ＩＤ、回線固有情報、設定情報のカラムから構成される設定情報レコードからなる。設定情報は、加入者ＩＤと回線ＩＤとで特定される加入者回線に接続される加入者網終端装置６の設定情報であり、１以上設定されうるが、ここでは、簡単のために１項目のみを扱うこととする。設定情報は、たとえば、加入者網終端装置６におけるＤＨＣＰ（Dynamic Host Configuration Protocol）サーバ機能のＯＮ／ＯＦＦを格納する。
【００２３】
同図において、センタシステムデータベースサーバ２１の保持する回線状態テーブルＴ１には、加入者ＩＤが「user_01」、回線ＩＤが「line_01」、回線状態が「有効」、回線固有情報が「prefix_01」であり、回線変更中フラグ及び変更固有情報がｎｕｌｌである回線状態レコードが登録されている。また、センタシステムデータベースサーバ２１の保持する対応テーブルＴ２には、回線固有情報「prefix_01」とサブシステム位置情報「sub_01」とが対応付けられて、回線固有情報「prefix_02」とサブシステム位置情報「sub_02」とが対応付けられて登録されている。なお、サブシステム３ａの位置情報が「sub_01」であり、サブシステム３ｂの位置情報が「sub_02」であるとする。サブシステム３ａのサブシステムデータベースサーバ３１ａが保持する設定情報テーブルＴ３ａには、加入者ＩＤが「user_01」、回線ＩＤが「line_01」、回線固有情報が「prefix_01」、設定情報が「設定１」である設定情報レコードが登録されている。
【００２４】
加入者網終端装置６は、工場出荷状態でＩＰｖ６プレフィックスが「prefix_01」の加入者回線に接続されると、センタシステム２の加入者網終端装置インタフェースサーバ２２の指定されたＵＲＩに対し、ＨＴＴＰリクエストにより設定情報要求を送信する（ステップＳ１１０）。加入者網終端装置インタフェースサーバ２２は、受信したＨＴＴＰリクエストの送信元ＩＰｖ６アドレスからＩＰｖ６プレフィックス「prefix_01」を取得すると、センタシステムデータベースサーバ２１にアクセスし、当該プレフィックスを回線固有情報に持ち、且つ、状態フラグが「有効」である回線状態レコードが回線状態テーブルＴ１にあるかを検索する。検索の結果、該当する回線状態レコードが見つかった場合、加入者網終端装置インタフェースサーバ２２は、対応テーブルＴ２を検索し、ＩＰｖ６プレフィックス「prefix_01」が設定されている回線固有情報に対応したサブシステム位置情報「sub_01」を読み出す（ステップＳ１２０）。加入者網終端装置インタフェースサーバ２２は、読み出した位置情報をＨＴＴＰレスポンスに設定して加入者網終端装置６に返送する（ステップＳ１３０）。
【００２５】
加入者網終端装置６は、加入者網終端装置インタフェースサーバ２２から返送されたＨＴＴＰレスポンスからサブシステム位置情報「sub_01」を取得し、内部のメモリに書き込む。続いて、加入者網終端装置６は、取得した位置情報「sub_01」で特定される加入者網終端装置インタフェースサーバ３２ａに対し、ＨＴＴＰリクエストにより設定情報要求を送信する（ステップＳ１４０）。加入者網終端装置インタフェースサーバ３２ａは、受信したＨＴＴＰリクエストの送信元ＩＰｖ６アドレスからＩＰｖ６プレフィックス「prefix_01」を取得すると、当該プレフィックスにより設定情報テーブルＴ３ａを検索する。該当する設定情報レコードが見つかった場合、その設定情報レコードから読み出した設定情報「設定１」をＨＴＴＰレスポンスに設定して返送する（ステップＳ１５０）。
【００２６】
加入者網終端装置６は、加入者網終端装置インタフェースサーバ３２から返送されたＨＴＴＰレスポンスを受信すると、受信したＨＴＴＰレスポンスから設定情報「設定１」を取得し、内部のメモリに書き込む。以上により加入者網終端装置６の設定が有効になり、加入者は加入者網終端装置６にパソコンやセットトップボックスなどを接続し、加入者回線を通じてインターネット接続などを行うことができる。以降、加入者網終端装置６は、内部に記憶しているサブシステム位置情報を用いて定期的にサブシステム３ａに設定情報要求を送信し、最新の設定情報を取得して内部に保持している設定情報を更新する。
【００２７】
図４は、遠隔設定システム１における回線変更のサービスオーダ受信時の動作手順を示す図である。
加入者が引越しに伴い、現在利用中の回線の使用をやめ、転居先の回線を用いることとする。引越しなどに伴って加入者回線の変更を行う場合、引越し前と引越し後の回線で回線ＩＤが変更になる場合と、ならない場合とがある。回線ＩＤが変更にならない場合とは、例えば、同一建物内の引越し（マンション内の１０１号室から、４０３号室への移動など）や、加入者回線が収容されているエッジルータ７のインタフェース故障などにより、同一エッジルータ７の別のインタフェースへ収容が変更となるなど、超近距離あるいは場所の移動の無い回線変更のケースである。このような場合、回線ＩＤは変更とならずに回線固有情報（本実施形態ではＩＰｖ６プレフィックス）のみが変更となるケースが存在する。これらのケースは回線変更前後で管理テーブルの主キーである加入者ＩＤと回線ＩＤの変更はない。以下では、回線ＩＤが変更にならない引越しを行い、加入者網終端装置６の設定情報を保持するサブシステム３が変更になる場合について説明する。
【００２８】
電気通信事業者の窓口担当者により、対象加入者の移転に関する申込内容がサービスオーダ生成システム５に入力されると、サービスオーダ生成システム５は、入力された情報からサービスオーダファイルを生成して、サービスオーダ入力インタフェースサーバ４に送信する。ここでは、加入者ＩＤ「user_01」、回線ＩＤ「line_01」、及び、変更後の回線固有情報「prefix_02」が設定された変更要求のサービスオーダファイルが生成され、サービスオーダ入力インタフェースサーバ４にアップロードされるものとする（ステップＳ２１０）。
【００２９】
サービスオーダ入力インタフェースサーバ４では、定期的にサービスオーダ生成システム５からアップロードされたサービスオーダファイルを処理する。サービスオーダ入力インタフェースサーバ４は、サービスオーダファイルに記述されているサービスオーダが変更要求である場合、センタシステムデータベースサーバ２１内の回線状態テーブルＴ１から、当該サービスオーダに設定されている加入者ＩＤ「user_01」、回線ＩＤ「line_01」を主キーとし、回線状態が「有効」である回線状態レコードを検索する。検索の結果、当該加入者ＩＤ及び回線ＩＤに対応した回線状態レコードが見つかった場合、その見つかった回線状態レコードの変更固有情報に、サービスオーダに設定されている変更後の回線固有情報「prefix_02」を書き込む（ステップＳ２２０）。
【００３０】
次に、サービスオーダ入力インタフェースサーバ４は、見つかった回線状態レコードから回線固有情報「prefix_01」を取得し、その回線固有情報をキーとして対応テーブルＴ２を検索し、対応するサブシステム位置情報「sub_01」を読み出す。さらにサービスオーダ入力インタフェースサーバ４は、サービスオーダに設定されている変更後の回線固有情報「prefix_02」をキーとして対応テーブルＴ２を検索し、対応するサブシステム位置情報「sub_02」を読み出す。サービスオーダ入力インタフェースサーバ４は、見つかった回線状態レコードの回線固有情報をキーとして読み出したサブシステム位置情報「sub_01」と、サービスオーダに設定されている回線固有情報「prefix_02」をキーとして読み出した回線固有情報サブシステム位置情報「sub_02」とを比較し、これらが異なるため、サブシステム３をまたがった回線変更であると判断する（ステップＳ２３０）。
【００３１】
サブシステム３をまたがった回線変更であると判断した場合、サービスオーダ入力インタフェースサーバ４は、ステップＳ２２０において見つかった回線状態レコードの回線変更中フラグに、「サブシステム間変更（旧回線有効）」を示す値を書き込む（ステップＳ２４０）。
【００３２】
図５及び図６は、引越し先に加入者網終端装置６を接続した時の遠隔設定システム１の動作手順を示す図である。
図５において、加入者が、引越し先の加入者回線に工場出荷状態の加入者網終端装置６を接続すると（ステップＳ３１０）、加入者網終端装置６は、センタシステム２の加入者網終端装置インタフェースサーバ２２の指定されたＵＲＩに対し、ＨＴＴＰリクエストにより設定情報要求を送信する。
【００３３】
加入者網終端装置インタフェースサーバ２２は、受信したＨＴＴＰリクエストの送信元ＩＰｖ６アドレスからＩＰｖ６プレフィックス「prefix_02」を取得する。加入者網終端装置インタフェースサーバ２２は、取得したＩＰｖ６プレフィックス「prefix_02」が設定されている回線固有情報に対応したサブシステム位置情報「sub_02」を対応テーブルＴ２から読み出し、ＨＴＴＰレスポンスに設定して加入者網終端装置６に返送する（ステップＳ３２０）。
【００３４】
さらに、加入者網終端装置インタフェースサーバ２２は、取得したＩＰｖ６プレフィックスを回線固有情報に持ち、且つ、状態フラグが「有効」である回線状態レコードを、センタシステムデータベースサーバ２１内の回線状態テーブルＴ１から検索する。検索の結果、該当する回線状態レコードが見つからなかった場合、加入者網終端装置インタフェースサーバ２２は、当該ＩＰｖ６プレフィックス「prefix_02」を変更回線固有情報に持ち、且つ、状態フラグが「有効」である回線状態レコードが、回線状態テーブルＴ１にあるかを検索する。該当する回線状態レコードが見つかった場合（以下、この見つかった回線状態テーブルＴ１の回線状態レコードを「検出回線状態レコード」と記載する）、当該検出回線状態レコードの回線変更中フラグを参照する。回線変更中フラグに「サブシステム間変更（旧回線有効）」が設定されている場合はサブシステム３を跨って設定情報を移動すべきであると判断する（ステップＳ３３０）。
【００３５】
サブシステム３を跨って設定情報を移動すべきであると判断した場合、加入者網終端装置インタフェースサーバ２２は、検出回線状態レコードから取得した回線固有情報「prefix_01」、変更固有情報「prefix_02」に対応したサブシステム位置情報「sub_01」、「sub_02」を対応テーブルＴ２から読み出す（ステップＳ３４０）。加入者網終端装置インタフェースサーバ２２は、回線固有情報「prefix_01」に対応して読み出したサブシステム位置情報「sub_01」により特定されるサブシステム３ａにアクセスし、検出回線状態レコードから取得した加入者ＩＤ「user_01」、回線ＩＤ「line_01」を主キーとして、サブシステムデータベースサーバ３１ａが保持する設定情報テーブルＴ３ａの設定情報レコードを検索する。なお、加入者ＩＤ及び回線ＩＤの代わりに、検出回線状態レコードから取得した回線固有情報「prefix_01」を用いて検索を行ってもよい。加入者網終端装置インタフェースサーバ２２は、検索の結果見つかった設定情報テーブルＴ３ａの設定情報レコードから設定情報「設定１」を読み出す。
【００３６】
続いて、加入者網終端装置インタフェースサーバ２２は、変更固有情報「perfix_02」に対応して読み出したサブシステム位置情報「sub_02」により特定されるサブシステム３ｂにアクセスし、検出回線状態レコードから取得した加入者ＩＤ「user_01」、回線ＩＤ「line_01」を主キーとする設定情報レコードを追加する。そして、追加した設定情報レコードの回線固有情報に、ステップＳ３２０において受信した設定情報要求より取得したＩＰｖ６プレフィックス「prefix_02」を、設定情報に設定情報テーブルＴ３ａの設定情報レコードから読み出した設定情報「設定１」を書き込む。その後、加入者網終端装置インタフェースサーバ２２は、設定情報テーブルＴ３ａを検索した結果見つかった、加入者ＩＤ「user_01」、回線ＩＤ「line_01」を主キーとする設定情報レコードを削除する（ステップＳ３５０）。
【００３７】
図６において、加入者網終端装置インタフェースサーバ２２は、検出回線状態レコードの回線固有情報を現在の変更固有情報の値に書き換えた後、変更固有情報にｎｕｌｌを設定し、さらに、回線変更中フラグを、「サブシステム間変更（新回線有効）」を示す値に書き換える（ステップＳ３６０）。
【００３８】
以降、加入者網終端装置６は、図３と同様の手順により、サブシステム３ｂから設定情報を取得する。すなわち、加入者網終端装置６は、加入者網終端装置インタフェースサーバ２２からＨＴＴＰレスポンスより通知されたサブシステム位置情報「sub_02」を内部のメモリから読み出し、読み出した位置情報「sub_02」で特定される加入者網終端装置インタフェースサーバ３２ｂに対し、ＨＴＴＰリクエストにより設定情報要求を送信する。加入者網終端装置インタフェースサーバ３２ｂは、ＨＴＴＰリクエストの送信元ＩＰｖ６アドレスから取得したＩＰｖ６プレフィックス「prefix_02」をキーにして設定情報テーブルＴ３ａから設定情報「設定１」を読み出してＨＴＴＰレスポンスにより返送する。加入者網終端装置６は、加入者網終端装置インタフェースサーバ３２から返送されたＨＴＴＰレスポンスから設定情報「設定１」を取得して内部のメモリに書き込む。
【００３９】
図７は、引越し元回線廃止のサービスオーダ受信時の動作手順を示す。
サービスオーダ生成システム５は、加入者ＩＤ「user_01」、回線ＩＤ「line_01」、及び、回線固有情報「prefix_01」が設定された回線廃止要求のサービスオーダをサービスオーダ入力インタフェースサーバ４にアップロードする（ステップＳ４１０）。サービスオーダ入力インタフェースサーバ４は、サービスオーダファイルに記述されているサービスオーダが回線廃止要求である場合、センタシステムデータベースサーバ２１内の回線状態テーブルＴ１から、当該サービスオーダに設定されている加入者ＩＤ「user_01」及び回線ＩＤ「line_01」を主キーとする回線状態レコードを検索する。検索の結果、当該加入者ＩＤ及び回線ＩＤに対応した回線状態レコードが見つかり、当該回線状態レコードの回線変更中フラグに「サブシステム間変更（新回線有効）」が設定されている場合、当該回線状態レコードの回線変更中フラグにｎｕｌｌ値を設定する（ステップＳ４２０）。
【００４０】
なお、上記においては、サブシステム３を跨って設定情報を引き継ぐ場合について説明したが、同一のサブシステム３において設定情報を引き継ぐ場合も同様に行うことができる。すなわち、図４のステップＳ２３０において、サービスオーダに設定されている加入者ＩＤ及び回線ＩＤに対応した設定情報テーブルＴ３の設定情報レコード内の回線固有情報を主キーとして読み出したサブシステム位置情報と、サービスオーダに設定されている変更後の回線固有情報を主キーとして読み出したサブシステム位置情報が同一の場合、検出した設定情報テーブルＴ３の設定情報レコードの回線変更中フラグに「同一サブシステム内変更（旧回線有効）」を示す値を設定する。そして、図５のステップＳ３５０においては、新たな設定情報レコードの追加は行わず、図６のステップＳ３６０においては、検出回線状態レコードの回線変更中フラグを、「同一サブシステム間変更（新回線有効）」を示す値に書き換えるとともに、回線固有情報の値を現在の変更固有情報の値に書き換え、変更固有情報にｎｕｌｌを設定する。
【００４１】
上記実施形態によれば、回線変更のサービスオーダ受信時に、回線識別子の変わらない回線変更であるか否か、回線識別子の変わらない回線変更である場合は、回線変更前後でそれぞれの回線を管理するサブシステムが変更となるか否かを判断する。そして、新回線に加入者網終端装置６が設置されたことを検知した場合に、旧回線を管理するサブシステム３から新回線を管理するサブシステム３に加入者網終端装置６の設定情報が移動（コピーではない）されることにより、任意の回線識別子に関する設定情報は全サブシステム３を通して唯１つのみ存在することが保証できる。
【００４２】
従来、加入者網終端装置の設定情報を複数のサブシステムに分散して保持する構成では、引越し元と引越し先で設定情報を管理するサブシステムが異なる場合に、引越し元の情報がサブシステムＡ、引越し先の情報がサブシステムＢといったように、新旧回線の有効な設定情報が２レコード存在してしまうという状況が発生してしまっていた。しかし、加入者への料金課金は利用可能な回線に対して行われるため、異なるサブシステムのレコードとして引越し元の情報と引越し先の情報とが存在する場合、新旧回線が両方利用可能であると判断され、二重に料金が課金されてしまうおそれがあった。また、旧回線から新回線へ設定情報をコピーするタイミングは、従来の場合、サービスオーダ受信時であるため、複製後に旧回線で設定情報の変更があったとしても、新回線に引き継がれないという問題もあった。
【００４３】
上記実施形態の遠隔設定システム１は、加入者網終端装置６の設定情報が複数のサブシステムに分散されている構成であっても、回線ＩＤが変更とならない回線変更が発生した場合に、変更後の回線の加入者終端装置に変更前回線の設定情報を引き継ぐことが可能になる。また、使用していない回線のレコードがサブシステム３の設定情報テーブルＴ３に保持されることがないため、この設定情報テーブルＴ３内の情報に基づく課金等の処理が二重におこなわれるおそれがなく、正しい課金が可能となる。また、回線変更サービスオーダ受信後に、旧回線の設定情報に変更があったとしても、新回線に加入者網終端装置６が接続された場合に、設定を引き継ぐことが可能となる。
【００４４】
なお、上述のセンタシステム２のセンタシステムデータベースサーバ２１及び加入者網終端装置インタフェースサーバ２２、サブシステム３のサブシステムデータベースサーバ３１及び加入者網終端装置インタフェースサーバ３２、サービスオーダ入力インタフェースサーバ４、サービスオーダ生成システム５、及び、加入者網終端装置６は、内部にコンピュータシステムを有している。そして、センタシステム２のセンタシステムデータベースサーバ２１及び加入者網終端装置インタフェースサーバ２２、サブシステム３のサブシステムデータベースサーバ３１及び加入者網終端装置インタフェースサーバ３２、サービスオーダ入力インタフェースサーバ４、サービスオーダ生成システム５、及び、加入者網終端装置６の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００４６】
【図１】本発明の一実施の形態による遠隔設定システムと周辺装置との接続構成図である。
【図２】同実施の形態によるセンタシステム及びサブシステムの機能ブロック図である。
【図３】同実施の形態による遠隔設定システムの初期状態を示す図である。
【図４】同実施の形態による遠隔設定システムにおける回線変更サービスオーダ受信時の動作手順を示す図である。
【図５】同実施の形態による遠隔設定システムにおける引越し後の動作手順を示す図である。
【図６】同実施の形態による遠隔設定システムにおける引越し後の動作手順を示す図である。
【図７】同実施の形態による遠隔設定システムにおける引越し元回線廃止サービスオーダ受信時の動作手順を示す図である。
【符号の説明】
【００４７】
１…遠隔設定システム
２…センタシステム
２１…センタシステムデータベースサーバ（センタシステム記憶手段）
２２…加入者網終端装置インタフェースサーバ（レコード移動手段、接続通知受信手段、引継手段）
３、３ａ、３ｂ…サブシステム
３１、３１ａ、３１ｂ…サブシステムデータベースサーバ（サブシステム記憶手段）
３２、３２ａ、３２ｂ…加入者網終端装置インタフェースサーバ（設定情報通知手段）
３３、３３ａ、３３ｂ…ＨＴＴＰサーバ機能部
３４、３４ａ、３４ｂ…ＨＴＴＰクライアント機能部
４…サービスオーダ入力インタフェースサーバ（オーダ入力手段、回線変更要求入力手段、変更固有情報更新手段、比較手段、回線変更中フラグ更新手段、回線廃止要求入力手段、回線廃止設定手段）
５…サービスオーダ生成システム
６…加入者網終端装置
７…エッジルータ
【図１】
0004866817.tif 000002
【図２】
0004866817.tif 000003
【図３】
0004866817.tif 000004
【図４】
0004866817.tif 000005
【図５】
0004866817.tif 000006
【図６】
0004866817.tif 000007
【図７】
0004866817.tif 000008